(57)【特許請求の範囲】
【請求項１】
１取引として売上げる商品を販売登録する商品登録手段と、
この商品登録手段により販売登録された１取引として売上げる商品をその商品の通常販売価格に基づいて登録処理した場合の合計金額を記憶する非会員合計記憶手段と、
前記商品登録手段により販売登録された１取引として売上げる商品をその商品の通常販売価格以下の会員サービス価格に基づいて登録処理した場合の合計金額を記憶する会員合計記憶手段と、
１取引の合計出力を指示するキーの入力に応じて前記非会員合計記憶手段により記憶した非会員取引合計金額と前記会員合計記憶手段により記憶した会員取引合計金額の両方を表示部に表示出力する取引合計金額表示手段と、
前記表示部に非会員取引合計金額と会員取引合計金額の両方を表示した後、会員取引が成立した場合には前記非会員取引合計金額を消去し、非会員取引が成立した場合には前記会員取引合計金額を消去する取引合計金額消去手段と、
を具備したことを特徴とする商品販売登録データ処理装置。
【発明の詳細な説明】
【０００１】
【産業上の利用分野】
本発明は、会員に対しては商品を通常の販売価格以下の会員サービス価格で販売するようにした店で利用する電子式キャッシュレジスタ，ＰＯＳ（販売時点情報管理）端末等の商品販売登録データ処理装置に関する。
【０００２】
【従来の技術】
従来、会員に対しては商品を通常の販売価格以下の会員サービス価格で販売するようにした店で使用される電子式キャッシュレジスタやＰＯＳ端末等の商品販売登録データ処理装置としては、１取引として売上げる商品の登録開始前にその取引が会員取引なのか非会員取引なのかを判断するものと、１取引として売上げる商品の登録終了後の締め操作前にその取引が会員取引なのか非会員取引なのかを判断するものとがあった。
【０００３】
前者の商品販売登録データ処理装置は、非会員取引であると判断した後で商品の販売登録が行われると、登録商品の販売データをその商品の通常販売価格に基づいて登録処理し、会員取引であると判断した後で商品の販売登録が行われると、登録商品の販売データをその商品の通常販売価格以下の会員サービス価格に基づいて登録処理していた。このため、１取引の合計出力を指示するキー、いわゆる小計キーが入力されると、非会員取引の場合は通常販売価格による１取引の合計金額のみを表示部に表示し、会員取引の場合は会員サービス価格による１取引の合計金額のみを表示部に表示し、その後、釣銭演算，レシート発行等の締め処理に入るようになっていた。
【０００４】
他方、後者の商品販売登録データ処理装置は、販売登録された商品の販売データは、全てその商品の通常販売価格に基づいて登録処理し、小計キーが入力されるとその通常販売価格による１取引の合計金額のみを表示部に表示する。そして、会員取引であることを判断すると、この１取引で販売登録した商品の会員サービス価格による合計金額を表示部に表示出力した後、前記締め処理に入るようになっていた。
【０００５】
ところで、前者の商品販売登録データ処理装置の場合は、１取引として売上げる商品の登録開始前に会員取引なのか非会員取引なのかを判断する必要があるために、例えば非会員取引として商品登録を開始した後に客が会員である旨を申し出たような場合には、それまでの商品登録を無効にした後、会員取引を宣言し、最初から商品登録をやり直さなければならない面倒がある。
【０００６】
これに対し、後者の商品販売登録データ処理装置の場合は、上記のような不具合はない。しかし、会員取引であるか否かに係わらず、小計キーを入力した時点では非会員取引としての合計金額しか表示されないので、会員である客にとっては表示金額が正確でなかった。
【０００７】
【発明が解決しようとする課題】
このように従来の会員取引と非会員取引とを処理可能な商品販売登録データ処理装置であって、１取引として売上げる商品の登録終了後の締め操作前にその取引が会員取引なのか非会員取引なのかを宣言する方式のものにおいては、小計キーの入力により表示される合計金額は会員にとって正確な金額ではなく、会員はいくらを支払えばよいのか速やかに知り得なかった。
【０００８】
本発明はこのような事情に基づいてなされたものであり、その目的とするところは、１取引の合計出力を指示するキーの入力に応じて表示部に会員取引として登録処理した場合の合計金額と非会員取引として登録処理した場合の合計金額の両方を表示することができ、従って会員も非会員も支払い金額を速やかに知ることができ、サービス性を高め得る商品販売登録データ処理装置を提供しようとするものである。
【０００９】
【課題を解決するための手段】
本発明の商品販売登録データ処理装置は、１取引として売上げる商品を販売登録する商品登録手段と、商品登録手段により販売登録された１取引として売上げる商品をその商品の通常販売価格に基づいて登録処理した場合の合計金額を記憶する非会員合計記憶手段と、商品登録手段により販売登録された１取引として売上げる商品をその商品の通常販売価格以下の会員サービス価格に基づいて登録処理した場合の合計金額を記憶する会員合計記憶手段と、１取引の合計出力を指示するキーの入力に応じて非会員合計記憶手段により記憶した非会員取引合計金額と会員合計記憶手段により記憶した会員取引合計金額の両方を表示部に表示出力する取引合計金額表示手段とを備えたものである。
【００１０】
【作用】
このような構成を有する本発明の商品販売登録データ処理装置においては、１取引として売上げる商品を商品登録手段により販売登録すると、非会員合計記憶手段には登録商品を通常販売価格に基づいて登録処理した場合の非会員取引合計金額が記憶され、会員合計記憶手段には登録商品を通常販売価格以下の会員サービス価格に基づいて登録処理した場合の会員取引合計金額が記憶される。この状態で、１取引の合計出力を指示するキーを入力すると、前記非会員取引合計金額と会員取引合計金額の両方が表示部に表示出力される。そして、非会員取引の場合には、前記商品登録手段により販売登録された商品の販売データがその商品の通常販売価格に基づいて登録処理され、会員取引の場合には同商品の販売データがその商品の通常販売価格以下の会員サービス価格に基づいて登録処理される。
【００１１】
【実施例】
以下、本発明の一実施例を図面を用いて説明する。なお、この実施例では、会員取引と非会員取引とを処理可能であり、かつ１取引として売上げる商品の登録終了後の締め操作前にその取引が会員取引なのか非会員取引なのかを宣言する方式のＰＯＳ端末に本発明を適用した場合について説明する。
【００１２】
図１はこの実施例におけるＰＯＳ端末の外観斜視図であって、このＰＯＳ端末の本体１は、正面にキーボード２、モードスイッチ３、カードリーダ４及びオペレータ用の正面表示器５を設け、背面に客用表示器６を設けて、現金等を収容するためのドロワ７の上に固定されている。また、ＰＯＳ端末本体１の内部にはレシート用紙及びジャーナル用紙にデータを印字するためのプリンタ８が搭載されており、このプリンタ８によって印字されたレシート用紙は、本体１正面に形成されたレシート発行口９から排出されるようになっている。さらに、このＰＯＳ端末本体１には、後述する商品コード等を表わすバーコードを光学的に読取るためのタッチスキャナ１０も接続されている。
【００１３】
前記キーボード２には、商品毎に設定される固有の商品コードがそれぞれプリセットされた複数のプリセットキー２ａの他に、置数キー２ｂ、小計キー２ｃ、カードキー２ｄ，預／現計キー２ｅ，取消キー２ｆ等の各種ファンクションキーが配設されている。ここで、小計キー２ｃは１取引の合計出力を指示するキーとして機能し、カードキー２ｄは会員カードの読取りを指示するキーとして機能し、預／現計キー２ｅは１取引として売上げる商品の登録終了を宣言する締めキーとして機能する。
【００１４】
前記モードスイッチ３は、「登録」，「点検」，「精算」，「設定」等の各種業務モードの実行を選択するためのスイッチである。ここで、「登録」モードとはキーボード２またはタッチスキャナ１０の商品登録手段により販売登録された商品の販売データを記憶部に登録処理する業務のモードであり、「点検」モードとは「登録」モードによって商品販売データが登録処理された記憶部の内容を点検レポートとして出力する業務のモードであり、「精算」モードとは「点検」モードと同様に記憶部の内容をレポート出力した後、記憶部をクリアする業務のモードであり、「設定」モードとは記憶部に予め必要なデータを設定しておく業務のモードである。
【００１５】
前記カードリーダ４は、例えば磁気カードリーダであって、この実施例では店と会員契約した客にそれぞれ配布される会員カードに磁気記録された会員番号等のカードデータを読取る場合に使用する。
【００１６】
図２は前記ＰＯＳ端末の制御回路の要部構成を示すブロック図である。図示するように、このＰＯＳ端末は、制御部本体としてＣＰＵ（中央処理装置）１１を搭載している。また、このＣＰＵ１１が制御する主記憶部として、プログラム等の固定的データを予め記憶するＲＯＭ（リード・オンリ・メモリ）１２と、商品販売データを登録処理するための記憶部等が形成されるＲＡＭ（ランダム・アクセス・メモリ）１３とを搭載している。
【００１７】
さらに、このＰＯＳ端末は、日時を計時する時計回路１４、伝送路を介して接続されたホストコンピュータとの間のデータ通信を司るホストインタフェース１５、前記モードスイッチ３からの信号を入力するとともに、前記ドロワ７ａを開放動作させるドロワ開放装置７ａに開放指令信号を送出するＩ／Ｏポート１６、前記キーボード２からのキー信号を取込むキーボードコントローラ１７、前記正面表示器５及び客面表示器６の表示動作を制御する表示器コントローラ１８、前記プリンタ８の印字動作を制御するプリンタコントローラ１９、前記カードリーダ４にて読取られたカードデータを取込むカードリーダコントローラ２０、前記タッチスキャナ１０にて読取られたバーコードデータを取込むスキャナコントローラ２１等を搭載している。
そして、前記ＣＰＵ１１と、ＲＯＭ１２，ＲＡＭ１３，時計回路１４，ホストインタフェース１５，Ｉ／Ｏポート１６及び各コントローラ１７〜２１とは、アドレスバス，データバス等のバスライン２２により接続されている。
【００１８】
前記ＲＡＭ３には、図３に示すように、各商品の商品コード，品名，通常販売価格である通常単価Ｐ１，後述する会員単価テーブル３２のテーブルポインタ，販売点数を累計した売上点数及び販売金額を累計した売上金額等の商品データが商品別に登録された商品ファイル３１と、一連のテーブルポインタ［００１］〜［ｎｎｎ］に対応して会員サービス価格である会員単価Ｐ２が予め設定された会員単価テーブル３２が形成されている。
【００１９】
因みに、この店で販売される各商品は、非会員に対しては通常単価Ｐ１で販売し、会員に対しては通常単価Ｐ１以下の会員単価Ｐ２で販売する会員対象商品と、会員，非会員を問わず通常単価Ｐ１で販売する会員対象外商品とがある。そして、会員対象商品の場合は、商品ファイル３１にその商品の商品コードに対応して通常単価Ｐ１を設定するとともに、同ファイル３１のテーブルポインタエリアに会員単価テーブル３２の該当する会員単価が設定されたテーブルポインタを設定する。一方、非会員対象商品の場合は、商品ファイル３１にその商品の商品コードに対応して通常単価Ｐ１を設定し、テーブルポイントエリアにはテーブルポインタ［０００］を設定する。
【００２０】
また、前記ＲＡＭ１３には、図４に示すように、１取引として売上げる全商品の商品コード，非会員価格及び会員価格を蓄積記憶する取引バッファ３３と、１非会員取引の合計金額Ａ１を記憶する非会員合計記憶手段としての非会員合計器３４ａ，１会員取引の合計金額Ａ２を記憶する会員合計記憶手段としての会員合計器３４ｂ，１非会員取引の税額Ｂ１を記憶する非会員税額エリア３４ｃ，１会員取引の税額Ｂ２を記憶する会員税額エリア３４ｄ，１非会員取引の税込み合計金額Ｃ１を記憶する非会員税込額エリア３４ｅ，１会員取引の税込み合計金額Ｃ２を記憶する会員税込額エリア３４ｆを有するワークメモリ３４、登録中フラグＦ１，小計済フラグＦ２及び会員フラグＦ３等の各種フラグを記憶するフラグメモリ３５等が設けられている。
【００２１】
しかして、前記ＣＰＵ１１は、特に図５に示すように、モードスイッチ３により「登録」モードが選択されている状態で商品コードの入力を検知すると図６に具体的に示す商品登録処理を実行し、小計キー２ｃの入力を検知すると図７に具体的に示す小計処理を実行し、カードキー２ｄの入力を検知すると図８に具体的に示す会員カード処理を実行し、預／現計キー２ｅの入力を検知すると図９に具体的に示す登録締め処理を実行するようにプログラム構成されている。
【００２２】
すなわち、キーボード２のプリセットキー２ａの操作若しくはタッチスキャナ１０による商品コードのバーコード読取り操作により商品コードが入力されると、１取引として売上げる商品の販売登録が行われたので、ＣＰＵ１１は、図６に示すように、先ずフラグメモリ３５に登録中フラグＦがセットされているか否かを判断する。そしてセットされていない場合には、１取引における１点目の販売登録なので、登録中フラグＦ１をセットするとともに、取引バッファ３３とワークメモリ３４をクリアする。登録中フラグＦ１がすでにセットされていた場合には、１取引における２点目以降の販売登録なので、上記処理は行わない。
【００２３】
次に、商品ファイル３１を検索して入力商品コードに対応する品名，通常単価Ｐ１，テーブルポインタ等の商品データを読出す。そして、該商品データ中の通常単価Ｐ１をワークメモリ３４における非会員合計器３４ａのデータＡ１に加算する。また、該商品データ中のテーブルポインタが［０００］か否か、つまり登録商品が会員対象外商品か会員対象商品かを判断する。
【００２４】
ここで、テーブルポインタが［０００］のとき、つまり会員対象外商品の場合には、上記通常単価Ｐ１をワークメモリ３４における会員合計器３４ｂのデータＡ２にも加算する。しかる後、入力商品コードを取引バッファ３３の商品コードエリアに格納するとともに、それに対応する非会員価格エリア及び会員価格エリアにそれぞれ上記通常単価Ｐ１を格納する。また、正面表示器５及び客面表示器６に、該商品データ中の品名と、上記取引バッファ３３の非会員価格エリア及び会員価格エリアにそれぞれ格納した単価データを表示させる。
【００２５】
一方、テーブルポインタが［０００］以外のとき、つまり会員対象商品の場合には、会員単価テーブル３２の該当テーブルポインタが示す領域の会員単価Ｐ２を読出す。そして、この会員単価Ｐ２をワークメモリ３４における会員合計器３４ｂのデータＡ２に加算する。しかる後、入力商品コードを取引バッファ３３の商品コードエリアに格納するとともに、それに対応する非会員価格エリアに上記通常単価Ｐ１を格納し、会員価格エリアに上記会員単価Ｐ２を格納する。また、正面表示器５及び客面表示器６に、該商品データ中の品名と、上記取引バッファ３３の非会員価格エリア及び会員価格エリアにそれぞれ格納した単価データを表示させる。
【００２６】
その後、フラグメモリ３５に小計済フラグＦ２がセットされているか否かを判断し、セットされていない場合には商品登録処理を終了し、セットされている場合にはリセットした後商品登録処理を終了する。
【００２７】
また、キーボード２の小計キー２ｃの操作により小計キー信号が入力されると、１取引の合計出力が指示されたので、ＣＰＵ１１は、図７に示すように、先ずフラグメモリ３５に登録中フラグＦ１がセットされているか否かを判断する。そしてセットされていない場合には、１取引として売上げる商品の販売登録が行われていないのに小計キー２ｃを操作した誤操作なので、キー操作エラーとしてこの小計処理を終了する。
【００２８】
これに対し、登録中フラグＦ１がセットされていた場合には、小計済フラグＦ２をセットした後、ワークメモリ３４における非会員合計器３４ａ内の金額データ、つまり非会員合計金額Ａ１に対する税額Ｂ１を算出する。そして、この税額Ｂ１と、上記非会員合計金額Ａ１に税額Ｂ１を加算した非会員税込み合計金額Ｃ１とをワークメモリ３４における非会員税額エリア３４ｃ及び非会員税込額エリア３４ｅに格納する。
【００２９】
同様に、ワークメモリ３４における会員合計器３４ｂ内の金額データ、つまり会員合計金額Ａ２に対する税額Ｂ２を算出する。そして、この税額Ｂ２と、上記会員合計金額Ａ２に税額Ｂ２を加算した会員税込み合計金額Ｃ２とをワークメモリ３４における会員税額エリア３４ｄ及び会員税込額エリア３４ｆに格納する。
【００３０】
しかる後、正面表示器４及び客面表示器５に、ワークメモリ３４における非会員税額エリア３４ｃの非会員取引税額Ｂ１及び非会員税込額エリア３４ｅ内の非会員税込み合計金額Ｃ１と、会員税額エリア３４ｄの会員取引税額Ｂ２及び会員税込額エリア３４ｆ内の会員税込み合計金額Ｃ２とをそれぞれ表示させたならば、この小計処理を終了する（取引合計金額表示手段）。
【００３１】
なお、この実施例では、全商品が課税商品であり、買上時に税率（例えば３％）を一律に賦課する場合を示している。
【００３２】
また、キーボード２のカードキー２ｄの操作によりカードキー信号が入力されると、会員取引が宣言されたので、ＣＰＵ１１は、図８に示すように、先ずフラグメモリ３５に小計済フラグＦ２がセットされているか否かを判断する。そしてセットされていない場合には、１取引の合計が出力されていないのにカードキー２ｄを操作した誤操作なので、キー操作エラーとしてこの会員カード処理を終了する。
【００３３】
これに対し、小計済フラグＦ２がセットされていた場合には、カードリーダ４にて読取られた会員カードのカードデータを取込み、会員取引の有効性をホストコンピュータに問合わせる。そして、ホストコンピュータから会員取引の成立を伝える応答を受信すると、フラグメモリ３５に会員フラグＦ３をセットするとともに、正面表示器５及び客面表示器６から非会員価格の税額Ｂ１及び税込み合計金額Ｃ１を消去して、この会員カード処理を終了する。
【００３４】
なお、ホストコンピュータにおいては、カードデータ中の会員番号等に基づいて有効期限チェックやブラックリストチェック等を行い、取引が有効な場合のみ会員取引の成立を伝える伝文をＰＯＳ端末に送信する。従って、ＣＰＵ１１は、ホストコンピュータへの問合わせに対して所定時間内に会員取引の成立を伝える伝文を受信しないと会員取引不可を判断して、エラーとする。
【００３５】
また、キーボード２の預／現計キー２ｅの操作により預／現計キー信号が入力されると、１取引の登録終了が宣言されたので、ＣＰＵ１１は、図９に示すように、先ずフラグメモリ３５に小計済フラグＦ２がセットされているか否かを判断する。そしてセットされていない場合には、１取引の合計が出力されていないのに預／現計キー２ｅを操作した誤操作なので、キー操作エラーとしてこの登録締め処理を終了する。
【００３６】
これに対し、小計済フラグＦ２がセットされていた場合には、次に、フラグメモリ３５に会員フラグＦ３がセットされているか否か、つまり１取引を会員取引として処理するか非会員取引として処理するかを判断する（取引判断手段）。
【００３７】
そして、セットされていない場合には、非会員による１取引の終了が宣言されたので、正面表示器５及び客面表示器６から会員価格の税額Ｂ２及び税込み合計金額Ｃ２を消去する。
【００３８】
また、預り金額から非会員税込額エリア３４ｅ内の非会員取引税込み合計金額Ｃ１を減じることにより釣銭額を算出する。なお、預り金額は、預／現計キー２ｅの入力直前に置数キー２ｂにより置数されていたならばその置数データとし、置数されていなければ非会員税込額エリア３４ｅ内のデータとする。
【００３９】
さらに、取引バッファ３３に蓄積された商品コードとそれに対応する非会員価格データとに基づいて単品売上登録処理を実行する。すなわち、取引バッファ３３の先頭エリアから順に商品コード及び非会員価格データを読出し、商品ファイル３１の該当商品コードに対応する売上点数データに「＋１」を加算するとともに、売上金額データに上記非会員価格データを加算する（非会員取引登録処理手段）。
【００４０】
これに対し、会員フラグＦ３がセットされていた場合には、会員による１取引の終了が宣言されたので、預り金額から会員税込額エリア３４ｆ内の会員取引税込み合計金額Ｃ２を減じることにより釣銭額を算出する。
【００４１】
また、取引バッファ３３に蓄積された商品コードとそれに対応する会員価格データとに基づいて単品売上登録処理を実行する。すなわち、取引バッファ３３の先頭エリアから順に商品コード及び会員価格データを読出し、商品ファイル３１の該当商品コードに対応する売上点数データに「＋１」を加算するとともに、売上金額データに上記会員価格データを加算する（会員取引登録処理手段）。
【００４２】
しかる後、正面表示器５及び客面表示器６に上記釣銭額を表示させる。また、取引バッファ３３及びワークメモリ３４のデータに基づいてレシート印字データを編集したならば、プリンタ８を駆動してこのレシート印字データをレシート用紙及びジャーナル用紙に印字出力して、レシートをレシート発行口９から発行する。さらに、ドロワ開放装置７ａに開放指令信号を送出してドロワ７を開放させるとともに、フラグメモリ３５の各フラグＦ１，Ｆ２，Ｆ３をリセットしたならば、この登録締め処理を終了する。
【００４３】
ここで、レシート印字データの編集作業は、先ず取引バッファ３３の先頭エリアから順に商品コード，非会員価格データ及び会員価格データを読出す。そして、１データ毎に該当商品コードに対応する品名データを商品ファイル３１から読出し、この品名データと非会員価格データと会員価格データとで１登録商品の明細印字データを編集する。こうして、取引バッファ３３内の全データについて明細印字データを編集したならば、ワークメモリ３４における非会員合計器３４ａのデータＡ１，会員合計器３４ｂのデータＡ２，非会員税額エリア３４ｃのデータＢ１，会員税額エリア３４ｄのデータＢ２，非会員税込額エリア３４ｅのデータＣ１，会員税込額エリア３４ｆのデータＣ２の順で合計印字データを編集する。また、預り金額及び釣銭額の印字データを付加し、責任者コード，レシート番号，時刻等のデータを付加したならば、編集を完了する。
【００４４】
こうして、編集されたレシートの一発行例を図１０に示す。図１０において、符号４１は店名，ロゴ等のマークであり、符号４２は日付，４３は機種番号であって、このデータは前取引のレシート発行の際に印字される。また、符号４４は明細印字データ，４５は合計印字データであって、これらは会員取引の場合は会員側のデータが大きく印字され、非会員取引の場合は非会員側のデータが大きく印字されて他方と区別される。なお、符号４６は預り金額，４７は釣銭額，４８は責任者コード，４９はレシート番号，５０は時刻をそれぞれ示している。
【００４５】
このように構成された本実施例のＰＯＳ端末を使用する店においては、買物客が買上商品の代金支払いを申し出ると、店員はＰＯＳ端末のキーボード２またはタッチスキャナ１０を操作して、その客買上商品の販売登録を行う。
【００４６】
例えば、商品ファイル３１及び会員単価テーブル３２にそれぞれ図３に示したデータが設定されている状態で、今、商品「ＡＡＡＡ」の販売登録を行うと、この商品「ＡＡＡＡ」は通常単価Ｐ１が１０００円で会員単価Ｐ２が９００円の会員対象商品なので、取引バッファ３３には、商品「ＡＡＡＡ」の商品コード「ｚｚ……ｚ１」が格納されるとともに、非会員価格として通常単価Ｐ１「１０００」が格納され、会員価格として会員単価Ｐ２「９００」が格納される。また、ワークメモリ３４の非会員合計器３４ａのデータＡ１は「０」から「１０００」に更新され、会員合計器３４ｂのデータＡ２は「０」から「９００」に更新される。さらに、正面表示器５及び客面表示器６に、図１１に示すように、それぞれ品名「ＡＡＡＡ」，非会員価格「￥１．０００」，会員価格「￥９００」の各データが表示される。
【００４７】
次に、商品「ＢＢＢＢ」の販売登録を行うと、この商品「ＢＢＢＢ」は通常単価Ｐ１が１０００円の会員対象外商品なので、取引バッファ３３には、商品「ＢＢＢＢ」の商品コード「ｚｚ……ｚ２」が格納されるとともに、非会員価格として通常単価Ｐ１「１０００」が格納され、会員価格としても通常単価Ｐ１「１０００」が格納される。また、ワークメモリ３４の非会員合計器３４ａのデータＡ１は「１０００」から「２０００」に更新され、会員合計器３４ｂのデータＡ２は「９００」から「１９００」に更新される。さらに、正面表示器５及び客面表示器６に、図１１に示すように、それぞれ品名「ＡＡＡＡ」，非会員価格「￥１．０００」，会員価格「￥１．０００」の各データが表示される。
【００４８】
次に、小計キー２ｃを入力操作すると、非会員合計器３４ａのデータＡ１に対する税額６０円が算出され、ワークメモリ３４の非会員税額エリア３４ｃのデータＢ１が「０」から「６０」に更新され、非会員税込額エリア３４ｅのデータＣ１が「０」から「２０６０」に更新される。また、会員合計器３４ｂのデータＡ２に対する税額５７円が算出され、ワークメモリ３４の会員税額エリア３４ｄのデータＢ１が「０」から「５７」に更新され、会員税込額エリア３４ｆのデータＣ１が「０」から「１９５７」に更新される。なお、税率を一律３％としている。そして、正面表示器５及び客面表示器６に、図１１に示すように、非会員税額エリア３４ｃのデータＢ１「￥６０」及び非会員税込額エリア３４ｅのデータＣ１「￥２．０６０」と、会員税額エリア３４ｄのデータＢ２「￥５７」及び会員税込額エリア３４ｆのデータＣ２「￥１．９５７」とが表示される。
【００４９】
この状態で、店員は買物客に会員かどうかを尋ねる。そして、会員の場合には、その買物客が所有する会員カードのデータをカードリーダ４に読取らせて、カードキー２ｄを入力操作する。そうすると、会員取引の有効性がチェックされ、有効である（会員取引成立）と判断された場合には、図１１（ｂ）に示すように、正面表示器５及び客面表示器６の画面から非会員価格の税額Ｂ１及び税込み合計金額Ｃ１が消去される。
【００５０】
その後、店員は買物客から支払い代金として例えば２０００円を預ると、その預り金額「２０００」を置数キー２ｂにて置数した後、預／現計キー２ｅを入力操作する。そうすると、預り金額から会員税込合計金額Ｃ２が減じられて釣銭額４３円が算出され、図１１（ｂ）に示すように、正面表示器５及び客面表示器６に預り金額「￥２．０００」と釣銭額「￥４３」が表示される。また、図１０に示したようなレシートが印字発行される。
【００５１】
また、取引バッファ３３の内容に基づき、商品ファイル３１の商品「ＡＡＡＡ」及び商品「ＢＢＢＢ」に対応する売上点数データにはそれぞれ点数「１」が加算される。同様に、商品「ＡＡＡＡ」に対応する売上金額データには該商品が会員対象商品なので会員単価Ｐ２「９００」が加算されるが、商品「ＢＢＢＢ」に対応する売上金額データには該商品が会員対象外商品なので通常単価Ｐ１「１０００」が加算される。
【００５２】
一方、買物客が非会員であり、支払い代金として例えば２１００円を預かると、店員は預り金額「２１００」を置数キー２ｂにて置数した後、預／現計キー２ｅを入力操作する。そうすると、正面表示器５及び客面表示器６の画面から会員価格の税額Ｂ２及び税込み合計金額Ｃ２が消去される。また、預り金額から非会員税込合計金額Ｃ１が減じられて釣銭額４０円が算出され、正面表示器５及び客面表示器６に預り金額「￥２．１００」と釣銭額「￥４０」が表示される。そして、レシートが印字発行される。
【００５３】
また、取引バッファ３３の内容に基づき、商品ファイル３１の商品「ＡＡＡＡ」及び商品「ＢＢＢＢ」に対応する売上点数データにはそれぞれ点数「１」が加算される。同様に、商品「ＡＡＡＡ」に対応する売上金額データには通常単価Ｐ１「１０００」が加算され、商品「ＢＢＢＢ」に対応する売上金額データには該商品の通常単価Ｐ１「１０００」が加算される。
【００５４】
このように本実施例のＰＯＳ端末においては、１取引の合計出力を指示する小計キー２ｃの入力に応じて、その取引で売上げる全商品の非会員価格による税込み合計金額Ｃ１と会員価格による税込み合計金額Ｃ２の両方を正面表示器５及び客面表示器６に表示するようにしたので、買物客はこの時点で会員，非会員を問わず支払い金額を知り得る。従って、支払いの準備を速やかに済ませることができる等のサービス性向上を図り得る。
【００５５】
また、非会員価格による税込み合計金額Ｃ１と会員価格による税込み合計金額Ｃ２とが対比して表示されるので、会員制度の利点，つまりは割安感を買物客に強くアピールすることができる。従って、既に会員になっている買物客に対しては会員であることの優越感を与えることができ、会員になっていない買物客に対しては会員になることの有益性を訴えることができるので、会員獲得に大きな効果を奏する。
【００５６】
また、本実施例のＰＯＳ端末においては、会員対象商品が登録されるとその商品の非会員価格（通常単価Ｐ１）と会員価格（会員単価Ｐ２）とを対比して表示するようにしている。従って、この点からも上述したような会員制度の利点を買物客に強くアピールすることができる。
【００５７】
また、本実施例のＰＯＳ端末においては、買物客に渡されるレシートにも会員対象商品の非会員価格と会員価格を印字するとともに、非会員価格による税込み合計金額Ｃ１と会員価格による税込み合計金額Ｃ２とを印字出力している。従って、上述したような会員制度の利点を買上商品の代金支払い後にも買物客に強くアピールすることができる。しかも、会員に対しては非会員価格及び非会員価格による税込み合計金額Ｃ１を小さく、会員価格及び会員価格による税込み合計金額Ｃ２を大きく印字し、逆に非会員に対しては非会員価格及び非会員価格による税込み合計金額Ｃ１を大きく、会員価格及び会員価格による税込み合計金額Ｃ２を小さく印字するようにしたので、レシートの印字内容を理解し易い効果も奏する。
【００５８】
なお、前記実施例では正面表示器５と客面表示器６にそれぞれ会員取引としての金額と非会員取引としての金額を表示させたが、客面表示器６のみに両方の金額を表示させ、正面表示器５には従来の１取引として売上げる商品の登録終了後の締め操作前にその取引が会員取引なのか非会員取引なのかを宣言する方式の装置の同様な表示を行わせるようにしても、本発明の効果は奏し得る。
【００５９】
また、商品の登録毎に現時点における非会員取引としての小計金額が非会員合計器３４ａに記憶され、会員取引としての小計金額が会員合計器３４ｂに記憶されるので、その商品登録の都度、会員取引としての現時点における小計金額と非会員取引としての現時点における小計金額の両方を表示部に表示させることも可能である。
【００６０】
また、前記実施例では１取引として売上げる商品の登録終了後の締め操作前にその取引が会員取引なのか非会員取引なのかを宣言する方式の装置について説明したが、１取引として売上げる商品の登録開始前にその取引が会員取引なのか非会員取引なのかを判断する方式の装置にも本発明を適用することはできる。
【００６１】
また、前記実施例では、会員対象商品に対して予め通常単価Ｐ１と会員単価Ｐ２とを予め設定した場合を示したが、通常単価Ｐ１のみを設定し、会員単価Ｐ２は商品登録毎に割引演算を行って算出してもよい。また、商品ファイル３１及び会員単価テーブル３２をホストコンピュータに設けて、ＰＯＳ端末が問合わせを行うことにより該当する商品データを受けとるようにしてもよい。
この他、本発明の要旨を逸脱しない範囲で種々変形実施可能であるのは勿論である。
【００６２】
【発明の効果】
以上詳述したように本発明によれば、１取引の合計出力を指示するキーの入力に応じて表示部に会員取引として登録処理した場合の合計金額と非会員取引として登録処理した場合の合計金額の両方を表示することができ、従って会員も非会員も支払い金額を速やかに知ることができ、サービス性を高め得る商品販売登録データ処理装置を提供できる。
【図面の簡単な説明】
【図１】本発明の一実施例であるＰＯＳ端末の外観斜視図。
【図２】同ＰＯＳ端末における制御回路の要部構成を示すブロック図。
【図３】同ＰＯＳ端末のＲＡＭに設けられる主要な設定データエリアを示す図。
【図４】同ＰＯＳ端末のＲＡＭに設けられる主要な処理データエリアを示す図。
【図５】同ＰＯＳ端末のＣＰＵが実行する登録業務の概略処理を示す流れ図。
【図６】図５の商品登録処理を具体的に示す流れ図。
【図７】図５の小計処理を具体的に示す流れ図。
【図８】図５の会員カード処理を具体的に示す流れ図。
【図９】図５の登録締め処理を具体的に示す流れ図。
【図１０】同実施例における１作用のレシート印字例を示す図。
【図１１】同実施例における１作用の画面表示例を示す図。
【符号の説明】
１…ＰＯＳ端末本体
２…キーボード
２ｃ…小計キー
２ｄ…カードキー
２ｅ…預／現計キー
４…カードリーダ
５…正面表示器
６…客面表示器
８…プリンタ
１０…タッチスキャナ
１１…ＣＰＵ
１２…ＲＯＭ
１３…ＲＡＭ
３１…商品ファイル
３２…会員単価テーブル
３３…取引バッファ
３４ａ…非会員合計器
３４ｂ…会員合計器
【図１】
0003614501.tif 000002
【図２】
0003614501.tif 000003
【図３】
0003614501.tif 000004
【図４】
0003614501.tif 000005
【図５】
0003614501.tif 000006
【図６】
0003614501.tif 000007
【図７】
0003614501.tif 000008
【図８】
0003614501.tif 000009
【図９】
0003614501.tif 000010
【図１０】
0003614501.tif 000011
【図１１】
0003614501.tif 000012